(57)【要約】      （修正有）【課題】ユーザが身に付けて発音可能な携帯型の装置を提供する。【解決手段】筺体部１にリストバンド２２が装着された装置であり、この筺体部１の内部には、電子基板が内蔵されると共に残りの空間の一部には複数の粒状体が内蔵されている。そして、電子基板には、粒状体の音を拾うマイクロマイクと、このマイクロマイクで拾った音を放音するスピーカとを搭載している。この結果、リストバンド２２を手首等に装着して筺体部１を振ると、筺体部１の溝部の空間において、粒状体が拡散運動して筺体部１内面に衝突したりする音がマイクロマイクによって集音される。【選択図】図１
2012211985.tif 000002
【特許請求の範囲】
【請求項１】
筺体部にリストバンドが装着された装置であって、
前記筺体部の内部には、
電子基板が内蔵されると共に残りの空間の一部には複数の粒状体が内蔵されており、
前記電子基板には、
前記粒状体の音を拾うマイクと、このマイクで拾った音を放音するスピーカとを搭載したことを特徴とする携帯型発音装置。  
【請求項２】
請求項１に記載の携帯型発音装置において、
前記電子基板に更に、
前記マイクで拾った音をアナログデジタル変換するＡ／Ｄ変換部と、このアナログデジタル変換された信号に対して効果付加を施す信号処理部と、効果付加された信号をデジタルアナログ変換するＤ／Ａ変換部と、を搭載したことを特徴とする携帯型発音装置。
【請求項３】
請求項２に記載の携帯型発音装置において、
筺体部の開口面を閉塞する蓋体から突起するロッドの押圧時間によって、前記信号処理部が施す効果付加の内容を変更することを特徴とする携帯型発音装置。
【請求項４】
請求項３の記載の携帯型発音装置において、
前記電子基板に更に電源部を搭載し、
この電源部から前記信号処理部への電圧供給が、前記ロッドの上面の押圧操作によって制御される構成として、前記ロッドの押圧操作によって前記信号処理部が電圧供給される時間を把握して、対応する効果付加を施すことを特徴とする携帯型発音装置。
【請求項５】
請求項４に記載の携帯型発音装置において、
前記電源部から前記信号処理部への電圧供給が、前記ロッドの上面の押圧操作によって制御される構成は、前記ロッドの下面に装着した金属性部材が下側に押し下げられると前記電源部から前記信号処理部への電圧供給配線を導通状態とする一方、前記金属製部材が上側に戻ると前記電源部から前記信号処理部への電圧供給配線を非導通状態とする構成であることを特徴とする携帯型発音装置。
【発明の詳細な説明】
【技術分野】
【０００１】
本発明は、腕等に装着する携帯型で発音機能を有する装置に関する。
【背景技術】
【０００２】
例えば、筺体の空洞部に粒状物を封入し、この筺体を揺動させてこの筺体と粒状物との衝撃音を発生させるマラカス等の打楽器であって、空洞部内に近接する２枚の隔壁を適宜の間隔で設け、空洞部を複数の粒状物収納室に分けて、この複数の粒状物収納室の一部に粒状物を封入した打楽器が提供されていた（例えば、特許文献１参照。）。この打楽器によれば、筺体の空洞部は近接する２枚の隔壁にて分割され複数の粒状物収納室が形成され、この複数の粒状物収納室の少なくとも一部に粒状物が封入されているので、演奏者が筺体を振ることにより、粒状物は前後の隔壁に衝突したり、粒状物相互が衝突したりして衝撃音を発する。また、中空な球状のマラカス本体と、このマラカス本体から延長する中空な把持部とが一体に形成され、把持部の後端部にはキャップにより開閉可能な開口部を有し、マラカス本体には発音用の粒体が開口部より交換可能で、把持部には開口部により交換可能に弾力性のある封止材が充填されたマラカスも提案されている（例えば、特許文献２参照。）。
【先行技術文献】
【特許文献】
【０００３】
【特許文献１】特開平７−１２１１５８号公報（第２−３頁、第１図）
【特許文献２】登録実用新案第３０１２９５２号公報（第４−５頁、第２図）
【発明の概要】
【発明が解決しようとする課題】
【０００４】
確かに、上述した打楽器によれば、演奏が容易で音量が大きく且つ耐久性の高い打楽器を実現できるし、また、上述したマラカスによれば、激しく使用しても破損したり、内部の発音用の粒材が飛散して飛び出さないという効果があった。しかしながら、マラカス等の打楽器の小型化には配慮されていなかった。
【０００５】
本発明は、かかる従来の課題を解決するためになされたもので、ユーザが身に付けて発音可能な携帯型の装置を提供することを目的とする。
【課題を解決するための手段】
【０００６】
上記目的を達成するために、本発明は、筺体部（１）にリストバンド（２２）が装着された装置であって、
前記筺体部（１）の内部には、
電子基板（１００）が内蔵されると共に残りの空間の一部には複数の粒状体（５）が内蔵されており、
前記電子基板（１００）には、
前記粒状体の音を拾うマイク（１１０）と、このマイク（１１０）で拾った音を放音するスピーカ（１３０）とを搭載したことを特徴とするようにした。
【０００７】
この発明によれば、筺体部（１）にリストバンド２２が装着された装置であり、この筺体部（１）の内部には、電子基板（１００）が内蔵されると共に残りの空間の一部には複数の粒状体（５）が内蔵されている。そして、電子基板（１００）には、粒状体（５）の音を拾う（マイクロ）マイク（１１０）と、この（マイクロ）マイク（１１０）で拾った音を放音するスピーカ（１３１）とを搭載している。この結果、リストバンド（２２）を手首等に装着して筺体部（１）を振ると、筺体部（１）の溝部（４）の空間において、粒状体（５）が拡散運動して筺体部（１）内面に衝突したりする音が（マイクロ）マイク（１１０）によって集音される。したがって、ユーザが身に付けて発音可能な携帯型の装置を実現することができる。
【０００８】
また、前記電子基板（１００）に更に、前記マイク（１１０）で拾った音をアナログデジタル変換するＡ／Ｄ変換部（１１２）と、このアナログデジタル変換された信号に対して効果付加を施す信号処理部（１１５）と、効果付加された信号をデジタルアナログ変換するＤ／Ａ変換部（１２０）と、を搭載した構成とすれば効果付加を施すことができる。また、この携帯型発音装置において、筺体部（１）の開口面を閉塞する蓋体（７）から突起するロッド（２０）の押圧時間によって、前記信号処理部（１１５）が施す効果付加の内容を変更するように構成すればユーザがより音出力を楽しむことができる。また、この携帯型発音装置において、前記電子基板（１００）に更に電源部（１４０）を搭載し、この電源部（１４０）から前記信号処理部（１１５）への電圧供給が、前記ロッド（２０）の上面の押圧操作によって制御される構成として、前記ロッド（２０）の押圧操作によって前記信号処理部（１１５）が電圧供給される時間を把握して、対応する効果付加を施すようにすることもできる。そして、この携帯型発音装置において、前記電源部（１４０）から前記信号処理部（１１５）への電圧供給が、前記ロッド（２０）の上面の押圧操作によって制御される構成は、前記ロッドの下面に装着した金属性部材（２５）が下側に押し下げられると前記電源部（１４０）から前記信号処理部（１１５）への電圧供給配線（１４１、１４２）を導通状態とする一方、前記金属製部材（２５）が上側に戻ると前記電源部（１４０）から前記信号処理部（１１５）への電圧供給配線（１４１、１４２）を非導通状態とする構成とすれば、ロッドの押圧操作で効果付加を行ったり、付加する効果を変更することが可能となる。
【発明の効果】
【０００９】
本発明によれば、ユーザが身に付けて発音可能な携帯型の装置を実現することができるという効果が得られる。
【図面の簡単な説明】
【００１０】
【図１】装置の側面、筺体部１の側面の説明図である。
【図２】筺体部１の平面、蓋体７の平面、組込み平面の説明図である。
【図３】電子基板１００の平面の説明図である。
【図４】スイッチ部の断面構造の説明図である。
【図５】テーブル２００の説明図である。
【図６】装置の外観を示す模式的な説明図である。
【発明を実施するための形態】
【００１１】
以下、本発明を実施の形態について図面を参照しつつ説明する。図１（ａ）は本装置の側面図、図１（ｂ）は本装置の筺体部１の正面図であり、図２（ａ）は筺体部１の平面図、図２（ｂ）は筺体部１の上面を閉塞する蓋体７の平面図、図６は本装置を斜め前上方から見た外観図である。
【００１２】
（構成）
図１（ａ）、（ｂ）に示すように、筺体部１は外観が略直方体の形状をしており、その下部には図１（ａ）の正面図を参照して分かるように筺体部１を貫通する開口部２が形成されていて、この開口部２にはリストバンド２２が通されていて、本装置を例えば手首等に装着することが可能になっている。
【００１３】
図２（ａ）に示すように、筺体部１は平面視、縦長の長方形状になっていて、縁部を残して溝部４が形成されている。この溝部４には後に説明する電子基板１００が固定されており、溝部４の残りの部分には様々な径の球状のプラスチック等で形成された粒状体５が多数存在する。筺体部１を振るとこの粒状体５が拡散運動可能なようになっている。また、筺体部１の縁部には１対のネジ孔３ａ、３ｂが形成されている。
【００１４】
図２（ｂ）は、この筺体部１の平面視、縦長の長方形状の開口面を閉塞するための蓋体７の平面図であり、この蓋体７には、左端および右端に１対のネジ孔６ａ、６ｂが形成されており、後の説明するスピーカ１３０からの音を放音するために、このスピーカ１３０の平面視、円形状のスピーカ面１３１に対応する位置に放音孔９が多数設けられている。また、略中央部のやや上方にロッド２０を貫通させるためのロッド孔８が形成されている。
【００１５】
図２（ｃ）は、筺体部１の開口部を蓋体で閉塞してネジ１０ａ、１０ｂで止めた筺体部１の平面図である。ネジ１０ａは、蓋体７のネジ孔６ａを介して筺体部１のネジ孔３ａにねじ込まれるとともに、ネジ１０ｂは、蓋体７のネジ孔６ｂを介して筺体部１のネジ孔３ｂにねじ込まれている。かくして、筺体部１の開口部は蓋体７で閉塞される構成となっている。なお、蓋体７は透明で粒状体５等を目視可能にしても良いし、また、不透明として筺体部１の内部は一切目視不能としても良い。
【００１６】
図３は筺体部１の溝部４に固定された電子基板１００の平面図である。この電子基板１００には、マイクロ（小型）マイク１１０と、このマイク信号をアナログデジタル変換するＡ／Ｄ変換部１１２と、アナログデジタル変換された信号に対して効果付加等の処理を行う信号処理部１１５と、この処理された信号をデジタルアナログ変換するＤ／Ａ変換部１２０と、このデジタルアナログ変換された信号を放音するスピーカ１３０とを有しており、スピーカ１３０の円形状の放音面であるスピーカ面１３１は上部を向いて固定されている。かくして、スピーカ面１３１からの音は、蓋体７の放音孔９から放音するように構成されている。なお、マイクロマイク１１０の音をそのまま放音するスピーカ１３０のみを電子基板１００に搭載する構成とすることも小型化の点から好ましい。  
【００１７】
また、電子基板１００には電圧供給を行う電源部１４０が搭載され配線１４１を介してスイッチ部に例えば５（Ｖ）が供給され、スイッチ部がオン状態の時、配線１４２を介して信号処理部１１５の電圧供給が行われるようになっている。
【００１８】
図４はスイッチ部のＡＡ矢視断面図である。外観視、径の小さな円柱状のロッド２０の下面部には、導通性のある薄肉の円板状の金属製円板部２５が接着固定されている。そして、この金属製円板部２５をその高さの半分程度の位置で挟み込む、平面視円形状の絶縁性のゴム部材３０が電子基板１００の表面に接着固定されている。この際、ゴム部材３０が配線１４１（図４では不図示）と配線１４２とを跨ぐように、その下面の円形状の一部に切り込みを設けても良い。
【００１９】
この構造のスイッチ部において、通常時は配線１４１と配線１４２とが導通状態にはされていない。一方、ゴム部材３０の弾性復元力に抗して、ロッド２０を下側（図４の符号ａ側）に押すと、金属性円板部２５が下側に移動して、配線１４１と配線１４２とが導通状態となって、電源部１４０から例えば５（Ｖ）の電圧が信号処理部１１５に供給される。この状態でロッド２０の押し込みを解除すると、ゴム部材３０の弾性復元力によって、金属性円板部２５とロッド２０は上側（図４の符号ｂ側）に戻って、配線１４１と配線１４２とが非導通状態となって、電源部１４０から信号処理部１１５の電圧供給は行われなくなる。かくして、筺体部１の開口部を閉塞した蓋体７のロッド孔８を介して、装置外側へと若干突起するロッド２０の押圧操作によって、電源部１４０からの信号処理部１１５への電源供給を制御することが可能になる。
【００２０】
図５は信号処理部１１５が格納するテーブル２００の説明図である。このテーブル２００は、オン時間（ロッド２０の押圧操作によって、電源部１４０からの信号処理部１１５へ電源供給が行われている時間）と付加する効果とを対応付けて登録してものである。例えば、オン時間ｔが「０＜ｔ≦ｔ１」なる場合には「パターンＡ」の効果を付加し、オン時間ｔが「ｔ１＜ｔ≦ｔ２」なる場合には「パターンＢ」の効果を付加し、オン時間ｔが「ｔ２＜ｔ≦ｔ３」なる場合には「パターンＣ」の効果を付加する。そして、オン時間ｔが「ｔ３＜ｔ」なる場合には「効果付加なし」即ち効果付加を行わない。
【００２１】
信号処理部１１５は、オン時間ｔを把握して、テーブル２００を参照して、これに対応する効果付加を施す動作を行う。かくして、ロッド２０の押圧操作によって、付加する効果を変更したり、効果付加を行わなくしたりすることが可能になる。
【００２２】
（動作）
リストバンド２２を手首に装着して手等を振ると、筺体部１の溝部４の空間において、粒状体５が拡散運動して筺体部１の内面に衝突したりする音がマイクロマイク１１０によって集音される。集音される音は、粒状体５の材質を変えれば様々に変化させることができる。これがＡ／Ｄ変換部１１２でアナログデジタル変換されて信号処理部１１５を介して、Ｄ／Ａ変換部１２０でデジタルアナログ変換されて、スピーカ１３０のスピーカ面１３１から放音される。かくして、筺体部１の内面空間にて運動する粒状体５の音が放音孔９から聞くことができる。
【００２３】
また、手首に装着したリストバンド２２に装着された筺体部１の開口部を閉塞する蓋体７から突起するロッド２０の上面を押圧することによって、マイクロマイク１１０が拾った音に対して効果を付加して放音させることが可能になる。
【００２４】
以上述べてきた実施形態によれば、ユーザが身に付けて発音可能な携帯型発音装置を実現することが可能になる。
【産業上の利用可能性】
【００２５】
以上説明してきたように、音楽分野において携帯型の発音を行う装置として利用することができる。
【符号の説明】
【００２６】
１  筺体部
２  開口部
４  溝部
５  粒状体
６ａ、６ｂ  ネジ孔
７  蓋体
８  ロッド孔
９  放音孔
１０ａ、１０ｂ  ネジ
２０  ロッド
２２  リストバンド
２５  金属性円板部
３０  ゴム部材
１００  電子基板
１１０  マイクロマイク
１１２  Ａ／Ｄ変換部
１１５  信号処理部
１２０  Ｄ／Ａ変換部
１３０  スピーカ
１３１  スピーカ面
１４１  配線
１４２  配線
１５０  電源部
２００  テーブル
【図１】
2012211985.tif 000003
【図２】
2012211985.tif 000004
【図３】
2012211985.tif 000005
【図４】
2012211985.tif 000006
【図５】
2012211985.tif 000007
【図６】
2012211985.tif 000008